(57)【要約】【課題】熱効率の向上を図る。【解決手段】シート走行路Ｒの走行方向に沿って併設したシート走行方向変換装置１０及び加熱ローラ１１を備え、シート走行方向変換装置１０は、シート走行路Ｒの一方面の彎曲部に沿って形成したガイド面１３と、ガイド面とシート走行路の間に加熱したシート浮揚用ガスＧを噴出するガス噴出口１４とを備え、加熱ローラ１１は、ローラ駆動装置１２で回転駆動され、シート走行路の他方面の彎曲部に接する外周面１１ｂを備え、シート走行方向変換装置１０及び加熱ローラ１１を格納する格納室２３と、噴出したシート浮揚用ガスを格納室２３から回収すると共に温度調節した後にシート走行方向変換装置１０へシート浮揚用ガスＧとして供給するガス循環装置１８とを備えた。【選択図】図１
2007045612.tif 000002
【特許請求の範囲】
【請求項１】
シート走行路の一方面の彎曲部に沿って形成したガイド面と、該ガイド面とシート走行路の間に加熱したシート浮揚用ガスを噴出するガス噴出口とを有するシート走行方向変換装置と、シート走行路の他方面の彎曲部に接する外周面を有し、ローラ駆動装置で回転駆動される加熱ローラとを、シート走行路の走行方向に沿って併設したシート用熱処理設備において、前記シート走行方向変換装置及び加熱ローラを格納して、シート走行方向変換装置から放出される放出ガス及び加熱ローラから放出される放出熱を室内で捕らえる格納室と、格納室内で捕らえられた放出熱と共に放出ガスを回収して温度調節した後に、シート浮揚用ガスとして前記シート走行方向変換装置へ供給するガス循環装置と、を備えたことを特徴とするシート用熱処理設備。
【請求項２】
前記シート走行方向変換装置及び前記加熱ローラを一組とした加熱装置の複数組をシート走行方向に沿って併設し、各組の加熱ローラを駆動するローラ駆動装置を各組毎に備え、前記ガス循環装置は、前記格納室内から回収した放出ガスを温度調節して分岐路へ供給するファン及び熱交換器の組合せからなるガス温調・圧送装置と、該分岐路と前記各シート走行方向変換装置との間に各々設けられて温度調節済みガスを各シート走行方向変換装置へ圧送する分岐ファンとを備え、各分岐ファンの駆動モータを可変速式とすることで、各シート走行方向変換装置へ圧送するガス圧力を個別に調節できるようにした請求項２記載のシート用熱処理設備。
【発明の詳細な説明】
【技術分野】
【０００１】
本発明は、シートを走行させる際に、シートの一方面を走行方向に沿って彎曲した浮揚状態で支持しつつ走行方向を変換させる浮揚走行と、シートの他方面を加熱ローラに接触させつつ走行方向を変換させる接触走行とを併用してシートを熱処理する設備に関するものである。
【背景技術】
【０００２】
シートには、加熱するに際して、他方面を加熱ローラに接触させることができるが、一方面を加熱ローラ等に直接接触させることができないものがある。例えば、他方面が金属箔や硬化済み樹脂層等の表面からなり、一方面が未乾燥の塗布層や未硬化の軟質樹脂層等の表面からなるものがある。このようなシートの熱処理に対処するために、発明者は、特許文献１に記載されている、シート走行路の走行方向に沿って配置したシート走行方向変換装置と加熱ローラの一本とを併設し、シート走行方向変換装置から噴出する加熱ガスで走行中のシートの一方面を浮揚状態で支持すると共に、加熱ローラの外周面に走行中のシートの他方面を接触させるシート用熱処理設備を創案した。
【特許文献１】特開平２−１６３２５６公報
【０００３】
また、処理能力の増大を図るために、発明者は、シート走行方向変換装置及び一本の加熱ローラを一組とした加熱装置の複数組をシート走行方向に沿って併設したシート用熱処理設備を創案した。
【発明の開示】
【発明が解決しようとする課題】
【０００４】
ところが、創案した前記熱処理設備は、シート走行方向変換装置及び加熱ローラを通過するシートが、シート走行方向変換装置や加熱ローラを保温する対策等の施されていな外側に露出しているため、設備の作業環境を劣悪（異状な昇温）にすると共に熱効率を低下させる問題があった。また、加熱装置の複数組を併設したシート用熱処理設備の場合には、各組みの加熱ローラに対するシートの圧接力を加熱処理の進捗状況に応じて調節することで、最適な加熱状態を得ることができることを見出した。
【０００５】
そこで、本発明は、設備の作業環境を良好にして熱効率を向上でき、また、複数組の加熱装置を併設したときに各組の加熱ローラに対するシートの圧接力を調節することができるシート用熱処理設備の提供を目的とする。
【課題を解決するための手段】
【０００６】
設備の作業環境を良好にして熱効率の向上を図るために請求項１記載の本発明が採用した手段は、シート走行路の一方面の彎曲部に沿って形成したガイド面と、該ガイド面とシート走行路の間に加熱したシート浮揚用ガスを噴出するガス噴出口とを有するシート走行方向変換装置と、シート走行路の他方面の彎曲部に接する外周面を有し、ローラ駆動装置で回転駆動される加熱ローラとを、シート走行路の走行方向に沿って併設したシート用熱処理設備において、前記シート走行方向変換装置及び加熱ローラを格納して、シート走行方向変換装置から放出される放出ガス及び加熱ローラから放出される放出熱を室内で捕らえる格納室と、格納室内で捕らえられた放出熱と共に放出ガスを回収して温度調節した後に、シート浮揚用ガスとして前記シート走行方向変換装置へ供給するガス循環装置と、を備えたことを特徴とするシート用熱処理設備である。
【０００７】
請求項１記載の本発明にあっては、加熱ローラから放出された放出熱と共にシート走行方向変換装置から放出された放出ガス（この放出ガスは放出熱を搬送する熱媒体となる）を格納室内で捕らえ、捕らえられた放出ガスが、放出熱と共にガス循環装置で回収されて温度調節した後にシート走行方向変換装置へシート浮揚用ガスとして供給されるため、放出熱及び放出ガスの熱を再利用して格納室の外側へ漏れだすのを阻止できる。
【０００８】
複数組の加熱装置を併設したときに各組の加熱ローラに対するシートの圧接力を調節できるようにするために請求項２記載の本発明が採用した手段は、前記シート走行方向変換装置及び前記加熱ローラを一組とした加熱装置の複数組をシート走行方向に沿って併設し、各組の加熱ローラを駆動するローラ駆動装置を各組毎に備え、前記ガス循環装置は、前記格納室内から回収した放出ガスを温度調節して分岐路へ供給するファン及び熱交換器の組合せからなるガス温調・圧送装置と、該分岐路と前記各シート走行方向変換装置との間に各々設けられて温度調節済みガスを各シート走行方向変換装置へ圧送する分岐ファンとを備え、各分岐ファンの駆動モータを可変速式とすることで、各シート走行方向変換装置へ圧送するガス圧力を個別に調節できるようにした請求項２記載のシート用熱処理設備である。
【０００９】
請求項２記載の本発明にあっては、各組のシート走行方向変換装置へ圧送するガス圧力を個別に調節できるので、ガス圧力に連動するシートの引張力を各組毎に設定できるようになる。
【００１０】
なお、走行中のシートに速度変動が生じようとしてもシート走行方向変換装置で浮揚中のシートの引張力に変動を生じさせないようにするために、前記シート走行路の上流側に前記シート走行方向変換装置を配設すると共に前記シート走行路の下流側に前記加熱ローラを配設し、前記ローラ駆動装置は、ローラ駆動用モータと、前記シート走行方向変換装置のガイド面と前記シート走行路の間のガス圧力を測定するセンサーと、センサーの測定値と設定値との差が小さくなるようにローラ駆動用モータを自動制御する制御器とを備えることもある。この場合、走行中のシートを浮揚させる加熱ガスの圧力が設定値となるように加熱ローラの回転速度を調節して、加熱ガスの圧力を設定値とすることで、浮揚中のシートの引張力（すなわち、加熱ローラへ進入するシートの引張力）を最適値に維持させることが可能となる。
【発明の効果】
【００１１】
請求項１記載の本発明は、格納室内で回収した熱をガス循環装置で再利用することにより、設備の作業環境を良好にして熱効率の向上を図ることができる。
【００１２】
請求項２記載の本発明は、複数組の加熱装置を備えて各組のシートの引張力を各組毎に設定できるので、各組の加熱ローラに対するシートの圧接力を最適値となるようにして最適な加熱状態を得ることができる。
【発明を実施するための最良の形態】
【００１３】
本発明に係るシート用熱処理設備（以下、「本発明熱処理設備」と言う。）を図面に示す実施形態に基づいて説明する。図１乃至図５は本発明熱処理設備の実施の形態を示すものであり、図１は熱処理状態の本発明熱処理設備１を示す概略図、図２本発明熱処理設備１の正面図、図３は熱処理状態の一組の加熱装置６を拡大した平面断面図、図４は熱処理状態の加熱装置６を拡大した左側面図、図５は加熱ローラ１１に巻き掛けたシートＷの引張力Ｔと押圧力Ｐを示す左側面図である。
【００１４】
本発明熱処理設備１は、図１に示す如く、シート走行路Ｒの上流側から下流側に沿って順番にガイドローラ２と、三組の加熱装置６，６，６と、ガイドローラ３とを配置たものである。なお、ガイドローラ２より上流側は、図示は省略したが、シート走行路Ｒを走行するシートＷを巻き掛ける駆動ローラからなるフィード装置を設けて、シートＷの基準速度を決定するように構成することもある。各ガイドローラ２，３は、一般に自由回転するものが選択されるが、必要に応じて強制回転させることもある。
【００１５】
前記各組の加熱装置６は、シート走行路Ｒの走行方向（矢符Ａ方向）に沿って配置した上流側のシート走行方向変換装置１０及び下流側の加熱ローラ１１と、該加熱ローラ１１を駆動するローラ駆動装置１２とを備えている。該シート走行方向変換装置１０は、図３及び図４に示す如く、彎曲したシート走行路Ｒに沿って形成し且つシート走行路Ｒを横断する左右方向に長いガイド面１３と、該ガイド面１３とシート走行路Ｒの間の空間Ｓに加熱したシート浮揚用加熱ガスＧを噴出するガス噴出口１４とを備えている。シート走行方向変換装置１０は、円筒状の主体部１５の外周面から湾曲したガイド面１３を形成し、主体部１５の左右両側の端板１５ａ，１５ａに中空の支持部１６，１６を接合し、各支持部１６を固定フレーム１７に連結して固定してある。ガス噴出口１４は、多数の円孔又は長孔から形成され、シート走行路Ｒと対面する浮揚領域Ｂ（図４参照）に設けられている。シート走行方向変換装置１０は、後述するガス循環装置１８（図１参照）から左右両側の支持部１６，１６の中空部を介して主体部１５の内部に供給されたガスを、各ガス噴出口１４から設定温度（例えば、１００〜４００℃）のシート浮揚用加熱ガスＧとして噴出するようになっている。なお、シート走行方向変換装置１０は、上記構造に限定されるものではなく、図示は省略しが、特許第２７２４３９５号の特許掲載公報の第１〜４図に掲載の如く、彎曲したシート走行路に沿って適宜間隔毎に、シート走行路の横断方向へ延設したノズル箱を配置し、各ノズル箱にガイド面を形成したシート浮揚用装置を用いることも勿論可能である。
【００１６】
前記加熱ローラ１１は、図３に示す如く、左右両側の軸部１１ｃ，１１ｃを左右両側の固定フレーム１７，１７に回転自在に軸支してあり、ローラ本体１１ａの外周面１１ｂが設定温度（例えば、１００〜４００℃）を維持するようにしてある。外周面１１ｂは、鏡面に仕上げられるか、または梨子地の如く微細な凹凸を形成した表面に仕上げられる。加熱ローラ１１の加熱構造は、ローラ本体１１ａの内部に組み込んだ電気ヒータで加熱する電気ヒータ方式、ローラ本体１１ａの内側に形成した熱媒体循環路へ加熱した熱媒体を通過させて加熱する熱媒体方式、内部に組み込んだ誘導コイルに電流を流し、発生した磁場の働きで加熱する電磁誘導方式等が採用される。
【００１７】
前記加熱ローラ１１を駆動するローラ駆動装置１２は、図１に示す如く、ローラ駆動用モータ１９と、前記シート走行方向変換装置１０のガイド面１３（図３参照）とシート走行路Ｒとの間に形成される空間Ｓ（図３参照）のガス圧力を測定するセンサー２０と、センサー２０の測定値と設定値との差が小さくなるようにローラ駆動用モータ１９を制御する制御器２１とを備え、シートＷを浮揚支持する空間Ｓのガス圧が設定値となるように、加熱ローラ１１の回転速度を自動制御するように構成してある。シート走行方向変換装置１０のシートＷを浮揚支持する浮揚用加熱ガスＧのガス圧は、シートＷの走行方向へ沿った引張力Ｔに比例するため、ガス圧を設定値に維持するとシートＷの引張力Ｔも設定値となる。なお、各組の加熱装置６は、シート走行路Ｒの走行方向（矢符Ａ方向）に沿って、上流側に加熱ローラ１１を配置すると共に、下流側にシート走行方向変換装置１０を配置して加熱ローラ１１の回転速度を自動制御するように構成することも勿論可能である。
【００１８】
走行中のシートＷは、図１に示す如く、加熱ローラ１１に巻き掛けて加熱ローラ１１の求心方向へ押圧することにより、ローラ外周面１１ｂに倣って平滑面に仕上げられる。この平滑面にする仕上げは、加熱ローラ１１の求心方向へ押圧する際の単位面積あたりの押圧力（以下、単に「押圧力」という）Ｐ（図５参照）を大きくする程に良好となる。この押圧力Ｐは、シードＷの走行方向へ沿った引張力Ｔに比例し、加熱ローラ１１の直径に反比例する関係にあるため、シードＷの引張力を大きくすれば良いことになる。しかし、シードＷの引張力は、大きくすればシートＷに縦皺を生じさせるため、限界がある。また、加熱ローラ１１の直径を小さくすれば、シートＷの巻き掛け寸法も短くなり、一本の加熱ローラ１１が熱処理できる時間を短くなる。そこで、本実施の形態においては、三組の加熱装置６を備えて対処しているが、シートＷの熱処理条件（例えば、処理時間、シードＷの処理中の引張力Ｔ等）とシートＷの走行速度とによっては、一組又は二組の加熱装置６を備えることも、更に四組以上の加熱装置６を備えることもある。
【００１９】
本発明熱処理設備１は、図１に示す如く、複数組の加熱装置６を備え、各組の加熱装置６毎に加熱ローラ１１の回転速度を制御して、シート走行方向変換装置１０の浮揚用加熱ガスＧでシートＷを浮揚支持するガス圧を設定値にして、シートＷの引張力Ｔが設定値（すなわち、加熱ローラ１１の求心方向へ押圧するシートＷの押圧力Ｐが設定値）となるように調節してあるため、各組の加熱装置６毎に加熱処理条件（例えば、シート走行方向変換装置１０の加熱ガスＧ（図３参照）の温度、加熱ロール１１の外周面１１ｂの温度と、加熱ロール１１の外周面１１ｂに巻き掛けたシートＷの押圧力Ｐ）を設定して、シートＷを平滑にする仕上げを良好に行うことができる。本発明熱処理設備１は、複数組の加熱装置６を用いることにより、加熱ロール１１の外周面１１ｂに対するシートＷの押圧力Ｐを確保するために、加熱ロール１１の外周面１１ｂの外径寸法を一定値以上に大きくでない場合であっても、加熱ロール１１による加熱時間を確保することができると共に、加熱ロール１１の外周面１１ｂに対するシートＷの押圧力Ｐを各加熱ローラ１１毎に調節することが可能となり、シートＷの走行速度の増大にも対処できる。
【００２０】
本発明熱処理設備１は、図１及び図３に示す如く、シート走行方向変換装置１０から噴出する加熱ガスＧで浮揚させつつシート走行方向変換装置１０に巻き掛けて走行中のシートＷを、駆動回転する加熱ローラ１１へ導いて加熱ローラ外周面１１ｂに接触させることができると共に、走行中のシートＷを浮揚させる加熱ガスＧの圧力が設定値となるように加熱ローラ１１の回転速度を調節することができるため、浮揚中のシートＷの引張力Ｔ（すなわち、加熱ローラ１１へ進入するシートＷの引張力Ｔ）も一定値とすることができる。噴出する加熱ガスＧが接触するシート表面は、浮揚状態であるため加熱ガス以外の接触はなく、また、加熱ガスＧが接触しないシート表面は、加熱ローラ１１の外周面１１ｂに接触することでローラ外周面１１ｂに倣って平滑面となる。
【００２１】
本発明熱処理設備１は、設備の作業環境を良好にして熱効率の向上を図るために、図１に示す如く、室内２３ａに各組の加熱装置６のシート走行方向変換装置１０及び加熱ローラ１１を格納する格納室２３と、該格納室内２３ａから回収した放出ガスを温度調節して再び各シート走行方向変換装置１０へ供給するガス循環装置１８とを備えている。格納室２３は、各シート走行方向変換装置１０のガス噴出口１４から噴出して走行中のシートＷを浮揚させた後にシートＷから離れるようにシート走行方向変換装置１０から放出する放出ガス、および、加熱ローラ１１から放出される放出熱を、室内２３ａで捕らえるように格納室形成用壁体２３ｄで構築され、シート走行路Ｒが貫通するシート出入口２３ｂ，２３ｃを開設してある。格納室２３は、シート出入口２３ｂ，２３ｃにシール装置３２，３３を併設して、外気が室内２３ａへ侵入するのを阻止して、室内２３ａのガス（例えば、不活性ガスある窒素ガス等）に外気を混ぜないようにすることもある。格納室２３は、前記加熱ローラ１１の各軸部１１ｃ及び前記シート走行方向変換装置１０の各支持部１６が貫通する格納室形成用壁体２３ｄの部分の各々にシール手段３５を設け、外気が室内２３ａへ侵入するのを阻止している。本発明熱処理設備１は、シート走行方向変換装置１０から放出した放出ガス及び加熱ローラ１１から放出した放出熱を格納室内２３ａで捕らえ、放出熱を包含した熱媒体となる放出ガスをガス循環装置１８で回収して再利用することで、格納室の外側へ熱が漏れだすのを阻止できる。
【００２２】
前記ガス循環装置１８は、各組の加熱装置６におけるシートＷの引張力の設定範囲を広範囲とすることができるように、前記格納室２３の室内２３ａから吸引して回収したガスを温度調節して分岐路２８へ供給する循環用ファン２５及び熱交換器２６との組合せからなるガス温調・圧送装置２４と、該分岐路２８と前記各シート走行方向変換装置１０との間に各々設けて温度調節済みガスを各シート走行方向変換装置１０へ圧送する分岐ファン２９とを備え、各分岐ファン２９の駆動モータ２９ａを可変速式とすることで、各シート走行方向変換装置１０へ圧送するガス圧力を個別に調節できるようにしてある。
【００２３】
前記各分岐ファン２９の駆動モータ２９ａは、ガスを圧送する先のシート走行方向変換装置１０の浮揚用加熱ガスＧの設定したガス圧値が自動的に得られるように、浮揚用加熱ガスＧの設定値の信号を受信するように構成することもある。
【００２４】
前記ガス循環装置１８は、還流ガス中のゴミを除去するフィルター３０を備え、クリーンなガスを各シート走行方向変換装置１０へ供給するようにしてある。ガス循環装置１８は、熱交換器２６を制御する自動温度調節器２７を備え、還流ガスを設定温度となるようにしている。また、ガス循環装置１８は、循環用ファン２５の駆動モータ２５ａの回転速度を自動制御するガス圧力制御装置３１を備え、分岐路２８へ圧送する加熱ガスの圧力を一定値となるようにしている。更に、ガス循環装置１８は、前記格納室２３の室内２３ａから漏出したガスを補充するためのガス補充装置３４を備え、熱交換器２６より上流側へガスを補充するようにしてある。ガス補充装置３４は、ガスボンベ（例えば、不活性ガスボンベ）等からなるガス供給源３４ａと、補充ガス量を調節する補充量調節弁３４ｂとを備えている。
【００２５】
前記ガス循環装置１８は、シート走行方向変換装置１０によるシートＷの浮揚寸法を確保するために、各シート走行方向変換装置１０のシートＷの設定引張力値の変更に対応する加熱ガスＧの圧力値の変更に応じて各分岐ファン２９の駆動モータ２９ａの回転速度を手動又は自動で調節することで、各シート走行方向変換装置１０の加熱ガスＧの噴出圧力を各シート走行方向変換装置１０毎に個別に調節できる。
【００２６】
次に、本発明熱処理設備１を用いたシートの熱処理方法を説明する。シートＷは、図１に示す如く、シート走行路Ｒを走行して、先ず、加熱装置６へ導かれ、三組の加熱装置６を通過する間に、シート全体が平滑となるように熱処理される。各組の加熱装置６で処理する際には、シートＷは、シート走行方向変換装置１０に直接接触ができない一方の面を巻き掛けて加熱ガスＧに接触させると共に、直径Ｄが４００〜６００ｍｍの加熱ローラ１１の高温度の外周面１１ｂに接触可能な他方の面を巻き掛けて押圧接触させて熱処理を行う。
【００２７】
各組の加熱装置６は、シート走行方向の上流側に配置したシート走行方向変換装置１０から噴出する加熱ガスＧで浮揚させつつシート走行方向変換装置１０に巻き掛けて走行中のシートＷを加熱ローラ１１へ導くと共に、走行中のシートＷを浮揚させる該加熱ガスの圧力が設定値となるように前記加熱ローラ１１の回転速度を調節しながら処理する。噴出する加熱ガスＧが接触するシートＷの接触不可能な一方の面は、浮揚状態で加熱ガス以外との接触がないため、スリ傷等のダメージの発生もなく、また、加熱ガスＧが接触しない他方の面は、加熱ローラ１１の外周面１１ｂに接触することでローラ外周面１１ｂに倣って平滑面となり、更に、加熱ローラ１１の回転速度を調節して走行中のシートＷを浮揚させる加熱ガスＧの圧力を設定値とすることで、浮揚中のシートＷの引張力Ｔ（すなわち、加熱ローラ１１へ進入するシートの引張力Ｔ）も一定値（例えば、幅寸法１．０ｍ当たり、１０〜２０Ｋｇ）とすることができ、加熱ローラ１１の求心方向へ押圧するシートＷの押圧力Ｐが設定値を維持することで良好な平滑面に仕上げられたシートＷを得ることができる。
【００２８】
前記加熱ローラ１１の回転速度とシートＷを浮揚させる加熱ガスＧの圧力とシートＷの引張力Ｔとの関係は、加熱ローラ１１の回転速度を速めると、シート走行方向変換装置１０に巻き掛けながら浮揚状態で走行するシートＷがシート走行方向変換装置１０に接近し、ガイド面１３とシート走行路Ｒとの間に形成された加熱ガスＧが充満する空間Ｓの厚み寸法が小さくなるために、加熱ガスＧを浮揚領域Ｂから外側へ放出するガス通路が狭まって浮揚動作中の加熱ガスＧの静圧を上昇させ、シート走行方向変換装置１０の求心方向へ向かって加熱ガスＧを押圧するシートＷの押圧力Ｐと静圧の上昇した加熱ガスＧの圧力とをバランスさせるようにシートＷの引張力Ｔも増大し、逆に、加熱ローラ１１の回転速度を遅くすると、シート走行方向変換装置１０に巻き掛けながら浮揚状態で走行するシートＷがシート走行方向変換装置１０から離反するために、加熱ガスＧを浮揚領域Ｂから外側へ放出するガス通路が広まって浮揚動作中の加熱ガスＧの静圧を低下させ、シート走行方向変換装置１０の求心方向へ向かって加熱ガスＧを押圧するシートＷの押圧力Ｐと静圧の低下した加熱ガスＧの圧力とをバランスさせるようにシートＷの引張力Ｔも低下する。
【００２９】
加熱ロール１１に縦皺の無い状態でシートＷを接触させるためには、前記シート走行方向変換装置に巻き掛けて浮揚状態でシートＷを走行させる際に、図３に示す如く、シートＷの左右両端側に比べ内側の浮揚量を大きしてシートの内側を膨らますと共に、走行中のシートが前記シート走行方向変換装置から出て前記加熱ローラに接触開始するまでの距離Ｌ（図４参照）を１０．０ｍｍ以下（好ましくは、５．０ｍｍ以下）にすると良い。シートＷの内側を膨らませることにより、シートＷに左右幅方向の拡げ作用を生起させて浮揚中のシートＷの縦皺の発生を阻止させることができると共に、シート走行方向変換装置の出口から加熱ローラの入口までの距離Ｌを１０．０ｍｍ以下（好ましくは、５．０ｍｍ以下）とすることにより、縦皺の発生を阻止させた状態のままシートＷを加熱ローラ１１ヘ進入させることができる。
【図面の簡単な説明】
【００３０】
【図１】本発明熱処理設備の実施の形態を示すものてあって、熱処理状態を示す概略図である。
【図２】同実施の形態の正面図である。
【図３】熱処理状態の一組の加熱装置を拡大した平面断面図である。
【図４】熱処理状態の加熱装置を拡大した左側面図である。
【図５】加熱ローラに巻き掛けたシートの引張力と押圧力を示す左側面図である。
【符号の説明】
【００３１】
６…加熱装置
１０…シート走行方向変換装置
１１…加熱ローラ
１１ｂ…外周面
１２…ローラ駆動装置
１３…ガイド面
１４…ガス噴出口
１８…ガス循環装置
Ｗ…シート
Ｇ…加熱ガス
【図１】
2007045612.tif 000003
【図２】
2007045612.tif 000004
【図３】
2007045612.tif 000005
【図４】
2007045612.tif 000006
【図５】
2007045612.tif 000007